(57)【特許請求の範囲】
【請求項１】
抽斗本体の前面板に鏡板を固着する鏡板の取付装置を、上記前面板両側に夫々装着される調整治具本体と、鏡板両側に装着される連結具と、上記各調整治具本体の装着される固定具及び調整体と、から構成され、上記連結具には、上記調整治具本体の空隙部内に挿入される挟持杆を突設すると共に、該空隙部内に挿入され上記固定具で調整治具本体に回動自在に軸支された上記連結具は、上記挟持杆に装着された上記調整体を回動させることで、該調整体の回転中心から偏位して突設された作動子により上記鏡板の両側を独自に上下方向に移動調整できるように構成したことを特徴とする鏡板の取付装置。
【発明の詳細な説明】
【０００１】
【発明の属する技術分野】
この発明は、抽斗の前面に装着される鏡板の左右方向の傾きを容易に調整して取り付けることができる鏡板の取付装置に関する。
【０００２】
【従来技術とその課題】
従来、家具や収納庫等においては、抽斗とこれを収納する本体（外枠）とは別体に製造され、最終組み立て段階で抽斗を本体内に収納して出荷しているのが現状である。
【０００３】
そして、上記家具や収納庫等においては、抽斗の前面側にキャビネット本体と同じ意匠が施された鏡板を装着し、システムインテリアとしての統一された審美性を付与するのが一般的であるが、この鏡板は、上記最終組み立て段階で抽斗の前面側に取り付けられるのが現状であり、抽斗とこの抽斗を収納する本体の精度誤差によって鏡板が傾いた状態で取りつけられる場合が多く、鏡板が微妙にキャビネット本体の抽斗収納部周縁部に衝合し、抽斗が閉まらなくなったりして家具の外観品質が著しく損なわれる、という課題を有していた。
【０００４】
このため、上記鏡板の傾きを修正するためには、現場において鏡板を一度取り外した後、これを傾きがない状態で取り付け直さなければならず、かかる作業が非常に煩雑であり、また、１台のキャビネットには複数の抽斗が配設されているため、上記修正作業がさらに煩雑である、という課題を有していた。
【０００５】
この発明は、かかる現状に鑑み創案されたものであって、その目的とするところは、抽斗が収納された状態における鏡板の納まりを、鏡板の左右方向の傾きを調整することで、容易、かつ、正確に鏡板を抽斗本体に取り付けることができ、その結果、抽斗の収まりが良好で家具の外観品質も良好となる鏡板の取付装置を提供しようとするものである。
【０００６】
【課題を解決するための手段】
上記目的を達成するため、この発明にあっては、抽斗本体の前面板に鏡板を固着する鏡板の取付装置を、上記前面板両側に夫々装着される調整治具本体と、鏡板両側に装着される連結具と、上記各調整治具本体の装着される固定具及び調整体と、から鏡板の取付装置を構成し、上記連結具には、上記調整治具本体の空隙部内に挿入される挟持杆を突設すると共に、該空隙部内に挿入され上記固定具で調整治具本体に回動自在に軸支された上記連結具は、上記挟持杆に係合された上記調整体を回動させることで、該調整体の回転中心から偏位して突設された作動子により上記鏡板の両側を独自に上下方向に移動調整できるように構成したことを特徴とするものである。
【０００７】
【発明の実施の形態】
以下、添付図面に示す実施の一形態例に基づきこの発明を詳細に説明する。
【０００８】
図１に示すように、この発明の実施の一形態例に係る鏡板の取付装置は、上記抽斗の前面板両側に夫々装着される調整治具本体１と、鏡板両側に装着される連結具１０と、上記各調整治具本体１の装着される固定具２０及び調整体３０と、から構成されている。
【０００９】
調整治具本体１は、抽斗本体の両側前端部に夫々装着されるもので、図２乃至図７に示すように、ブロック状に形成されており、その内部にはコ字状に開設された空隙部２が形成されていると共に、該本体１の胴部３には上記固定具２０と調整体３０が挿着されると固定孔４と調整孔５が貫通して開設されている。また、上記本体１の外側部には、抽斗Ｈの側部フランジｆ（図１８参照）に開設された取付孔に嵌装される略凸状の取付片部６が突設されている。さらに、上記本体１の空隙部２の開口周縁部両側には、上下に連続する係合溝７，７が形成されており、かつ、上記本体１の上面にはガイド片８が突設されている。尚、図中符号９はカシメである。
【００１０】
また、上記連結具１０は、図８乃至図１２に示すように、前面側上下に係止軸体１１，１１が突設された本体１２と、該本体１２の裏面側に段設され上記空隙部２内に嵌合可能な大きさからなる位置決め体１３と、該位置決め体１３から後方へと延設され上記調整治具本体１の空隙部２内に挿入される挟持杆１４と、から構成されている。尚、上記本体１２の裏面側であって、上記調整治具本体１の係合溝７，７と対面する部位には、該係合溝７，７と噛合し調整後の鏡板の移動を規制する係合溝１７，１７が刻設されている。
【００１１】
そして、上記挟持杆１４の先端部には、上記固定具２０の軸部２４が弾性挟持される略Ｃ字状の挟持部１５が形成されていると共に、該挟持杆１４の基部部分には、上記調整体３０の回転中心から偏位して突設された作動子３３が挿通される長溝１６が開設されている。
【００１２】
一方、上記固定具２０は、図１３乃至図１６に示すように、断面略凹状に形成された筒状本体２１と、該筒状本体２１の一部に切り欠き形成された窓部２２と、上記筒状本体２１の底部２３の中心部から開口方向に延設された軸部２４と、上記底部２３の外面側に形成された十字溝２５と、から構成され、上記筒状本体２１は、図２０に示すように、調整治具本体１内に収まるように嵌装され、その軸部２４が連結具１０の挟持部１５に挿通され、かつ、その先端部が前記固定孔４に挿通され、該先端部に凹設された溝部２６には上記カシメ９が嵌合係止されることで、上記連結具１０が該固定具２０を介して調整治具本体１に固着されるように構成されている。
【００１３】
また、上記調整体３０は、図１７に示すように、円板状に形成された本体３１と、この本体３１より直径が小さな円座体３２と、この円座体３２の中心部から偏位した位置に突設された前記作動子３３と、から構成されており、該作動子３３の表面には、その軸線方向に沿ってクリック感を与え作動子３３の位置を感得させる小さな凸条３４が突設されていると共に、上記本体３１の外面には、十字溝３５が形成されて構成されている。
【００１４】
尚、図１７中、符号３６はストッパ突起であり、該ストッパ突起３６は、図２０に示すように、調整治具本体１の調整孔５に嵌装させたときに、該調整孔５の周縁部を乗り越えて調整治具本体１内側へと侵入した後、該周縁部と係合して、該調整体３０の抜け出し方向への移動を規制して、該調整体３０が調整治具本体１の調整孔５からみだりに脱落しないように構成されている。勿論、このとき、上記作動子３３の先端部は、上記連結具１０の長溝１６内に挿入されている。さらに、図１８中符号Ｍは抽斗Ｈが挿脱自在に収納可能に構成されてなるキャビネットを、Ｇは該キャビネットＭの抽斗収納部両側壁に取り付けられたガイドレールを、Ｒは抽斗Ｈの側板に回転自在に軸支され、上記ガイドレールＧ内を回転自在なローラを夫々示している。
【００１５】
このように構成されてなる取付装置は、図１８乃至図２０に示すように、抽斗Ｈの側部フランジｆ（図１８参照）に開設された取付孔に、前記調整治具本体１の取付片部６を嵌合固定し、かつ、鏡板Ｋ（図２１参照）の裏面側両端上下に開設された孔に係止軸体１１，１１が圧入係止された連結具１０の挟持杆１４を調整治具本体１の空隙部２に挿入する。
【００１６】
次ぎに、上記調整治具本体１の固定孔４に固定具２０を嵌合係止させ、該固定具２０の軸部２４を連結具１０の挟持部１５に嵌合係止させる。また、この後、上記調整治具本体１の調整孔５にも調整体３０を圧入し、該調整体３０の作動子３３を連結具１０の長溝１６内に挿入する。この状態が図２１（ａ）に示す状態である。
【００１７】
この状態から、鏡板Ｋの一端部を上方向に持ち上げて傾きを水平に調整する場合には、図２１（ｂ）に示すように、上記調整体３０の作動子３３を、連結具１０の長溝１６の上辺部に当接させる方向（図２１時計方向）に回動させると、該作動子３３は、連結具１０の挟持体１４を上方向に持ち上げられるので、該連結具１０が固定されている鏡板Ｋの一端部は、固定具２０の軸部２４を支点として上方向に移動する。従って、上記調整体３０の作動子３３の回転量を調整することで、鏡板Ｋの上方向移動量を自在に調整することができる。
【００１８】
一方、鏡板Ｋの一端部を下方向に押し下げて傾きを水平に調整する場合には、図２１（ｃ）に示すように、上記調整体３０の作動子３３を、連結具１０の長溝１６の下辺部に当接させる方向（図２１反時計方向）に回動させると、該作動子３３は、連結具１０の挟持体１４を下方向に押し下げるので、該連結具１０が固定されている鏡板Ｋの一端部は、固定具２０の軸部２４を支点として下方向に移動する。従って、上記調整体３０の作動子３３の回転量を調整することで、鏡板Ｋの下方向移動量を自在に調整することができる。
【００１９】
かかる調整作業は、抽斗の反対側前端部に装着された取付装置に対しても同様の手順で行ない調整することで、鏡板Ｋを容易に収まりが良い状態にセットすることができる。
【００２０】
【発明の効果】
この発明に係る鏡板の取付装置は、以上説明したように、抽斗本体の前面板に鏡板を固着する鏡板の取付装置を、上記前面板両側に夫々装着される調整治具本体と、鏡板両側に装着される連結具と、上記各調整治具本体の装着される固定具及び調整体と、から構成し、上記連結具には、上記調整治具本体の空隙部内に挿入される挟持杆を突設すると共に、該空隙部内に挿入され上記固定具で調整治具本体に回動自在に軸支された上記連結具は、上記挟持杆に装着された上記調整体を回動させることで、該調整体の回転中心から偏位して突設された作動子により上記鏡板の両側を独自に上下方向に移動調整できるように構成したので、抽斗が収納された状態における鏡板の納まり位置を、調整体を回転させることで鏡板の左右方向の傾きを簡単に調整することでき、その結果、抽斗の収まりが良好で、外観品質も良好な家具を容易に得ることができる。
【図面の簡単な説明】
【図１】この発明の実施の一形態例に係る鏡板の取付装置を示す分解斜視図である。
【図２】同取付装置の調整治具本体の正面図である。
【図３】同調整治具本体の背面図である。
【図４】同調整治具本体の左側面図である。
【図５】同調整治具本体の右側面図である。
【図６】図５Ａ−Ａ線断面図である。
【図７】図５Ｂ−Ｂ線断面図である。
【図８】同取付装置の連結具の正面図である。
【図９】同連結具の背面図である。
【図１０】同連結具の左側面図である。
【図１１】同連結具の右側面図である。
【図１２】同連結具の平面図である。
【図１３】同取付装置の固定具の正面図である。
【図１４】同固定具の背面図である。
【図１５】同固定具の平面図である。
【図１６】図１５Ｃ−Ｃ線断面図である。
【図１７】同取付装置の調整体を示しており、（ａ）は正面図、（ｂ）は背面図、（ｃ）は左側面図、（ｄ）は右側面図、（ｅ）は平面図である。
【図１８】同取付装置の取付状態を示す説明図である。
【図１９】同取付装置の調整治具本体と連結具との連結状態を示す説明図である。
【図２０】図１９Ｄ−Ｄ線断面図である。
【図２１】（ａ）（ｂ）（ｃ）は夫々取付装置の調整状態を示す説明図である。
【符号の説明】
１  調整治具本体
１０  連結具
１１  係止軸部
１２  本体
１４  挟持体
１５  挟持部
１６  長溝
２０  固定具
２１  軸部
３０  調整体
３３  作動子
【図１】
0004280861.tif 000002
【図２】
0004280861.tif 000003
【図３】
0004280861.tif 000004
【図４】
0004280861.tif 000005
【図５】
0004280861.tif 000006
【図６】
0004280861.tif 000007
【図７】
0004280861.tif 000008
【図８】
0004280861.tif 000009
【図９】
0004280861.tif 000010
【図１０】
0004280861.tif 000011
【図１１】
0004280861.tif 000012
【図１２】
0004280861.tif 000013
【図１３】
0004280861.tif 000014
【図１４】
0004280861.tif 000015
【図１５】
0004280861.tif 000016
【図１６】
0004280861.tif 000017
【図１７】
0004280861.tif 000018
【図１８】
0004280861.tif 000019
【図１９】
0004280861.tif 000020
【図２０】
0004280861.tif 000021
【図２１】
0004280861.tif 000022